(57)【要約】【課題】ダイナミックレンジの拡大率の調節が容易で、１回の撮影によってダイナミックレンジが広い画像を取得すること【解決手段】ＮＤフィルタ１２を有する撮影光学系１０と、撮影光学系が形成した被写体の光学像を光電変換する撮像素子２０と、前記ＮＤフィルタを切り替えるための切替手段４０と、を有する。撮像素子の各画素は、被写体からの光束を前記撮影光学系の瞳の通過領域に応じて互いに異なる位置に導くマイクロレンズ２７と、前記瞳分割手段から入射する光束をそれぞれ受光する複数の光電変換部２２、２３と、を有する。ＮＤフィルタは、撮影光学系の瞳の少なくとも２つの領域の透過率を異ならせる。【選択図】図１
2015087401.tif 000002
【特許請求の範囲】
【請求項１】
ＮＤフィルタを有し、被写体の光学像を形成する撮影光学系と、
前記撮影光学系が形成した被写体の光学像を光電変換する撮像素子と、
前記ＮＤフィルタを切り替えるための切替手段と、を有し、
前記撮像素子の各画素は、被写体からの光束を前記撮影光学系の瞳の通過領域に応じて互いに異なる位置に導く瞳分割手段と、前記瞳分割手段から入射する光束をそれぞれ受光する複数の光電変換部と、を有し、
前記ＮＤフィルタは、前記撮影光学系の前記瞳の少なくとも２つの領域の透過率を異ならせることを特徴とする撮像装置。
【請求項２】
前記瞳分割手段は、各画素に１つずつ設けられたマイクロレンズを含むことを特徴とする請求項１に記載の撮像装置。
【請求項３】
前記複数の光電変換部から得られる複数の画像を合成する画像合成手段を更に有することを特徴とする請求項１または２に記載の撮像装置。
【請求項４】
前記ＮＤフィルタは、前記瞳の第１の領域の透過率を第２の領域の透過率よりも高くするフィルタであり、
前記画像合成手段は、画像合成後の画像データをHDRdata、前記第１の領域を通過した光束による画像データをHighdata、前記第２の領域を通過した光束による画像データをLowdata、合成パラメータをLCとすると、
HDRdata=(Highdata+Lowdata×LC)/(1+LC)
によって画像合成を行うことを特徴とする請求項３に記載の撮像装置。
【請求項５】
前記画像合成手段は、各光電変換部の位置に応じた入射光量の情報に基づいて画像合成を行うことを特徴とする請求項３に記載の撮像装置。
【請求項６】
Highdataは以下のHighdata2(x,y)、Lowdataは以下のLowdata2(x,y)であることを特徴とする請求項４に記載の撮像装置。
Highdata2(x,y)= MIN[Highdata(x,y)/S1(x,y),q]
Lowdata2(x,y)=MIN[Lowdata(x,y)/S2(x,y),q]
但し、x,yは前記撮像素子の撮像面上の座標、MIN[a,b]はa,bのうち値が小さい方をとる演算、qはその画像における輝度の最大値、S1(x,y)とS2(x,y)は軸上の光電変換部に入射する光量を１としたときの軸外の光電変換部に入射する光量を表す補正係数とする。
【請求項７】
前記複数の光電変換部から得られる信号に基づいて焦点調節を行う焦点調節手段を更に有することを特徴とする請求項１乃至４のうちいずれか１項に記載の撮像装置。
【請求項８】
各画素は３つ以上の光電変換部を有し、少なくとも２つの光電変換部に対応する前記瞳の領域の透過率が等しく、前記焦点調節手段は互いに透過率が等しい２つの光電変換部の信号に基づいて焦点調節を行うことを特徴とする請求項７に記載の撮像装置。
【請求項９】
前記ＮＤフィルタの透過率分布に基づいて露出制御を行う露出制御手段を更に有することを特徴とする請求項１乃至８のうちいずれか１項に記載の撮像装置。
【請求項１０】
前記露出制御手段が、前記瞳の透過率が最も高い領域を通過した光束による第１の画像データについて予め設定した輝度値以下となる領域の画面全体に対する割合が第１の設定値となるようにした場合に、前記瞳の透過率が最も低い領域を通過した光束による第２の画像データの輝度が設定範囲でない場合に、前記切替手段によって前記ＮＤフィルタを切り替えさせる制御手段を更に有することを特徴とする請求項９に記載の撮像装置。
【発明の詳細な説明】
【技術分野】
【０００１】
本発明は、撮像装置に関する。
【背景技術】
【０００２】
ダイナミックレンジが広い画像を取得するために露出を変えて複数枚の画像を撮影し、それらを合成するハイダイナミックレンジ合成（ＨＤＲＩ）やマルチバンド撮影は知られている。例えば、１回の撮影で時間差のない複数枚の画像を同時に取得するために、特許文献１は、撮像素子の低感度な画素と高感度な画素によって取得した画像を用いてＨＤＲＩを行う方法を提案している。また、特許文献２は、撮影光学系の像側で光束を分割し、分割した各光路に特性の異なるフィルタを配置することを提案している。
【先行技術文献】
【特許文献】
【０００３】
【特許文献１】特開２０１１−０５９３３７号公報
【特許文献２】特開２００５−２６０４８０号公報
【発明の概要】
【発明が解決しようとする課題】
【０００４】
しかしながら、特許文献１では、撮像素子の構成により、ダイナミックレンジの拡大率が固定され、所望のダイナミックレンジの拡大率を得ることはできなかった。特許文献２では、光束を分割する光学素子のために撮像装置の小型化が困難である。
【０００５】
本発明は、ダイナミックレンジの拡大率の調節が容易で、１回の撮影によってダイナミックレンジが広い画像を取得可能で小型な撮像装置を提供することを例示的な目的とする。
【課題を解決するための手段】
【０００６】
本発明の撮像装置は、ＮＤフィルタを有し、被写体の光学像を形成する撮影光学系と、前記撮影光学系が形成した被写体の光学像を光電変換する撮像素子と、前記ＮＤフィルタを切り替えるための切替手段と、を有し、前記撮像素子の各画素は、被写体からの光束を前記撮影光学系の瞳の通過領域に応じて互いに異なる位置に導く瞳分割手段と、前記瞳分割手段から入射する光束をそれぞれ受光する複数の光電変換部と、を有し、前記ＮＤフィルタは、前記撮影光学系の前記瞳の少なくとも２つの領域の透過率を異ならせることを特徴とする。
【発明の効果】
【０００７】
本発明によれば、ダイナミックレンジの拡大率の調節が容易で、１回の撮影によってダイナミックレンジが広い画像を取得可能で小型な撮像装置を提供することができる。
【図面の簡単な説明】
【０００８】
【図１】本発明の撮像装置の光路図である。（実施例１）
【図２】図１に示す撮像素子の受光部の断面および撮影光学系の瞳との関係を示す図である。（実施例１）
【図３】本発明の撮像素子の受光部とＮＤフィルタの平面図である。（実施例１、３、４）
【図４】本発明の画像合成の概念図である。（実施例１、３、４）
【図５】本発明の撮像素子の受光部とＮＤフィルタの平面図である。（実施例２）
【図６】本発明の露出決定のフローチャートである。（実施例４）
【発明を実施するための形態】
【０００９】
図１は、本実施形態の撮像装置の光路図である。撮像装置は、デジタルスチルカメラやデジタルビデオカメラなどである。図１の左側が被写体側で、右側が像側である。
【００１０】
撮像装置は、撮影光学系１０、像面ＩＰに撮像面が配置された撮像素子２０を有する。
【００１１】
撮影光学系１０は、フォーカスレンズ(群)１１、ＮＤ（Ｎｅｕｔｒａｌ Ｄｅｎｓｉｔｙ）フィルタ（減光フィルタ）１２、開口絞り１４、を有し、被写体の光学像を形成する。フォーカスレンズ１１は、撮影光学系１０の光軸方向に移動して焦点調節を行う。ＮＤフィルタ１２は、撮影光学系１０の瞳の少なくとも２つの領域を経た光束の透過率を異ならせる。図１では、ＮＤフィルタ１２は、開口絞り１４の近傍に配置されている。開口絞り１４は、撮像素子２０に入射する光量を調節する。
【００１２】
撮像素子２０は、撮影光学系１０が形成した被写体の光学像を光電変換する。撮像素子２０は、画面内のそれぞれの物体位置に対応する光束において、撮影光学系１０の開口絞り１４と共役な関係にある異なる瞳領域からの光束を光電変換する光電変換部２２、２３を有する。
【００１３】
図２は、撮像素子２０の受光部の断面および撮影光学系１０の撮像面側から見たときの開口絞り１４の像である瞳と撮像素子２０との関係を示す図である。図１、図２において、画面内のある物体位置（被写体位置）に対応する光束を取得する撮像面上の部分を１画素とすると各画素２１は複数の光電変換部２２、２３を有する。撮像素子２０は、光電変換部２２、２３に共通のカラーフィルタ２６、マイクロレンズ２７を有する。カラーフィルタ２６はＲＧＢの各色を、例えば、ベイヤ配列で配置する。マイクロレンズ２７は、被写体からの光束を撮影光学系の瞳の通過領域に応じて互いに異なる位置に導く瞳分割手段として機能する。本実施形態では瞳分割手段を撮像素子２０に設けているので特許文献２のように撮影光学系に設けるよりも撮像素子は小型になる。
【００１４】
図２は、１つの物点から１つの画素へ入射する光束を示している。光電変換部２２と２３は同じ物点からの光束が到達するが、光電変換部２２には射出瞳１６の領域Ｔ１を通過した光束が到達する。光電変換部２３には射出瞳１６の領域Ｔ２を通過した光束が到達する。領域Ｔ１は領域Ｔ２とは異なる瞳領域である。これにより、同一の被写体を撮影光学系１０の異なる瞳領域を通過した複数種類の画像として同時に取得できる。
【００１５】
また、本実施形態は、各光電変換部２２、２３に対応する瞳領域に異なる透過率のＮＤフィルタ１２を有し、同一の被写体に対して撮影光学系１０の異なる瞳領域を通過する複数種類の画像毎に露光量を変えることができる。
【００１６】
また、異なる透過率分布を有する複数のＮＤフィルタ１２が設けられ、光路上に配置される複数のＮＤフィルタの一つを切替する切替手段４０が設けられてもよい。図１では、切替手段４０は、上側のＮＤフィルタ１２と下側のＮＤフィルタ１２を切り替えており、上側のＮＤフィルタ１２と下側のＮＤフィルタ１２の透過率分布は異なる。
【００１７】
切替手段４０は、例えば、複数のＮＤフィルタを搭載して前記一つを光路上に配置するターレットと、ターレットを回転駆動する駆動手段と、を有し、レンズ鏡筒に設けられる。これにより、ダイナミックレンジの拡大率の調節が容易になる。
【００１８】
あるいは、ＮＤフィルタ１２は、ユーザが手動で切り替えて（交換して）もよい。この場合、切替手段４０はＮＤフィルタ１２を着脱し、撮影光学系１０内に固定および固定解除する手段として構成される。例えば、挿入口に挿入されたＮＤフィルタ１２を固定するロック手段、操作部（ボタンやレバー）を操作するとロックを解除し、挿入口からＮＤフィルタ１２の端部を突出させるアンロック／突出手段から構成されてもよい。突出手段はバネなどの付勢手段を利用することができる。
【００１９】
撮像素子２０からのアナログ信号は不図示のＡ／Ｄ変換器を介してデジタル信号に変換され、撮像装置に設けられた画像合成手段３０によって合成される。本実施形態によれば、露光量が異なる複数の画像を合成することでダイナミックレンジが広い画像を生成することができる。なお、画像合成は、デジタル信号を記憶した不図示の記憶手段をパーソナルコンピュータ（ＰＣ）で読み取ることによってＰＣ上で行ってもよい。
【００２０】
また、撮像素子２０に、撮影用の光電変換部だけでなく焦点検出用の光電変換部を設け、撮像面位相差ＡＦ手段３１で撮像面において位相差方式による焦点検出を行い、焦点検出結果に基づいてフォーカスレンズ１１を移動する自動焦点調節（ＡＦ）を行ってもよい。なお、「撮像面位相差ＡＦ」とは、撮像素子２０の撮像面に設けられた焦点検出用の光電変換部によって一対の被写体の像信号の位相差を検出することによって焦点検出をし、位相差がゼロになるようにフォーカスレンズ１１を移動することをいう。例えば、ベイヤ配列のＲＢの画素に焦点検出用の光電変換部が設けられてもよい。
【００２１】
撮像装置には制御手段３２と露出制御手段３３が設けられている。制御手段３２は、撮像装置の各部の制御を行いマイクロコンピュータなどによって構成されている。露出制御手段３３は、開口絞り１４の絞り値や不図示のシャッターのシャッタースピードを調節する。
【００２２】
以下、本発明の好ましい実施例を、添付図面を参照して説明する。
【実施例１】
【００２３】
図１、３、４を参照して、実施例１の撮像装置について説明する。
【００２４】
図３（ａ）は、撮像素子２０に適用可能な撮像素子２０Ａの受光部の平面図である。実施例１の撮像素子２０Ａは、図３（ａ）に示すように、２次元配列された画素２１のそれぞれに２つずつ光電変換部を有している。２２Ｇ１、２３Ｇ１、２２Ｇ２３２Ｇ２はＲＧＢのＧ（緑）チャンネル、２２Ｒ、２３ＲはＲＧＢのＲ（赤）チャンネル、２２Ｂ、２３ＢはＲＧＢのＢ（青）チャンネルを取得する光電変換部である。
【００２５】
図３（ｂ）は、ＮＤフィルタ１２の概略図である。領域Ｔ１は透過率１００％、領域Ｔ２は透過率２５％を有する。ＮＤフィルタ１２は開口絞り１４の近傍に配置され、切替可能な構成としている。
【００２６】
領域Ｔ１を通過する光束は光電変換部２２Ｇ１、２２Ｇ２、２２Ｒ、２２Ｂに入射する。領域Ｔ２を通過する光束は光電変換部２３Ｇ１、２３Ｇ２、２３Ｒ、２３Ｂに入射する。上記構成により、露光量が異なる２枚の画像を取得することが可能である。２枚の画像について階調変換や加算等を行うことでダイナミックレンジが広い画像を得ることが可能となる。
【００２７】
実施例１の画像合成手段３０による画像合成は数式（１）によって行われる。
【００２８】
HDRdata=(Highdata+Lowdata×LC)/(1+LC)    ・・・（１）
HDRdataは画像合成後の画像データである。HighdataはＮＤフィルタ１２の領域（第１の領域）Ｔ１を通過した光束による画像データである。LowdataはＮＤフィルタ１２の領域（第２の領域）Ｔ２を通過した光束による画像データである。LCは合成パラメータである。
【００２９】
図４は、本実施例の画像合成のグラフである。横軸は被写体輝度、縦軸は出力信号レベルである。左側のグラフはHighdata（点線）とLowdata（破線）を表している。右側のグラフはHDRdata（実線）とHighdata+Lowdata×LC（一点鎖線）を表している。ＮＤフィルタ１２を用いた場合、被写体のダイナミックレンジに対して撮像装置のダイナミックレンジが不足する場合がある。この場合、切替手段４０は、２つの領域の濃度差が大きい（例えば、領域Ｔ１は透過率１００％、Ｔ２は透過率１２．５％を有する）別のＮＤフィルタ１２に切り替えることができる。
【００３０】
また、被写体のダイナミックレンジに対して撮像装置のダイナミックレンジが過剰になり、軟調な画像になる場合がある。この場合、切替手段４０は、２つの領域の濃度差が小さい（例えば、透過率１００％、Ｔ２は透過率７５％を有する）別のＮＤフィルタに切り替えることができる。
【００３１】
本実施例では、領域Ｔ１は透過率１００％としたが、これはＮＤフィルタがない状態と等価であり、領域Ｔ１にはＮＤフィルタを配置せず、領域Ｔ２にのみ所望の透過率のＮＤフィルタを配置する構成としてもよい。即ち、ＮＤフィルタ１２は、撮影光学系１０の各光電変換部に対応する瞳領域を経た光束の透過率を異ならせれば足りる。
【実施例２】
【００３２】
図５（ａ）は、撮像素子２０に適用可能な撮像素子２０Ｂの受光部の平面図である。実施例２では、図５（ａ）に示すように、２次元的に配置された画素２１のそれぞれに４つずつ光電変換部を有している。２２Ｇ１、２３Ｇ１、２４Ｇ１、２５Ｇ１、２２Ｇ２、２３Ｇ２、２４Ｇ２、２５Ｇ２はＲＧＢのＧチャンネルのＧチャンネルを取得する光電変換部である。２２Ｒ、２３Ｒ、２４Ｒ、２５ＲはＲＧＢのＲチャンネル、２２Ｂ、２３Ｂ、２４Ｂ、２５ＢはＲＧＢのＢチャンネルを取得する光電変換部である。
【００３３】
図５（ｂ）は、ＮＤフィルタ１２の代わりに使用されるＮＤフィルタ１２Ａの概略図である。領域Ｔ１は透過率１００％、Ｔ２は透過率１００％、Ｔ３は透過率２５％、Ｔ４は透過率１２．５％を有する。ＮＤフィルタ１２Ａは撮影光学系１０の開口絞り近傍に配置され、切替可能に構成されている。
【００３４】
領域Ｔ１を通過する光束は光電変換部２２Ｇ１、２２Ｇ２、２２Ｒ、２２Ｂに入射する。領域Ｔ２を通過する光束は光電変換部２３Ｇ１、２３Ｇ２、２３Ｒ、２３Ｂに入射する。領域Ｔ３を通過する光束は光電変換部２４Ｇ１、２４Ｇ２、２４Ｒ、２４Ｂに入射する。領域Ｔ４を通過する光束は光電変換部２５Ｇ１、２５Ｇ２、２５Ｒ、２５Ｂに入射する。上記構成により、露光量が異なる３つの画像を取得することができる。３枚の画像について階調変換や加算等を行うことでダイナミックレンジが広い画像を得ることが可能となる。
【００３５】
本実施例のように撮像面上で瞳の領域を分割（瞳分割）する撮像素子では、各光電変換部で得られた信号の位相差を検出することで焦点検出を行うことが可能である。特に、実施例２の構成においては、透過率が等しい少なくとも２つの領域Ｔ１とＴ２に対応した光電変換部からの信号に基づいて撮像面位相差ＡＦ手段３１は、焦点検出を行うことで焦点検知精度が低下するのを抑制することができる。
【００３６】
領域Ｔ１、Ｔ３、Ｔ４それぞれ通過した光束による３つの画像について階調変換や加算等を行うことでダイナミックレンジが広い画像を得ることが可能となる。実施例２の画像合成手段３０による画像合成は数式（２）によって行われる。
【００３７】
HDRdata=(Highdata+Middledata×MC+Lowdata×LC)/(1+MC+LC)    ・・・（２）
HDRdataは画像合成後の画像データ、Highdataは領域Ｔ１もしくはＴ２を通過した光束による画像データ、Middledataは領域Ｔ３を通過した光束による画像データ、Lowdataは領域Ｔ４を通過した光束による画像データである。ＭＣ、ＬＣは合成パラメータである。
【００３８】
実施例１と同様に、ＮＤフィルタ１２について各領域の透過率が異なる別のＮＤフィルタに切り替えることで所望のダイナミックレンジの拡大率を得ることができる。例えば、領域Ｔ１、Ｔ２は透過率１００％、領域Ｔ３は透過率１２．５％、領域Ｔ４は透過率６．２５％としてもよい。
【実施例３】
【００３９】
実施例３では、図１、３、４に示すように、光電変換部、ＮＤフィルタについては実施例１と同様である。実施例３では、撮影光学系１０の瞳のケラレ（遮光）を考慮した処理を行う。
【００４０】
一般に、撮影光学系１０においては軸外の光束についてケラレが生じ、周辺光量が低下する。さらに、瞳面上において光束が非対称な形のケラレが生じることが多い。つまり、ＮＤフィルタ１２を配置しない場合においても各光電変換部の位置に応じて入射光量が変化する。
【００４１】
そこで、実施例３の画像合成手段３０は、ケラレ効果の補正を数式（３）、（４）によって行う。
【００４２】
Highdata2(x,y)= MIN[Highdata(x,y)/S1(x,y),q]・・・（３）
Lowdata2(x,y)=MIN[Lowdata(x,y)/S2(x,y),q]・・・（４）
但し、x,yは撮像素子２０の撮像面上の座標である。Highdata2(x,y)は像位置特性を加味したＮＤフィルタ１２の領域Ｔ１を通過した光束による画像データである。Lowdata2(x,y)は像位置特性を加味したＮＤフィルタ１２の領域Ｔ２を通過した光束による画像データである。MIN[a,b]はa,bのうち値が小さい方をとる演算、qはその画像における輝度の最大値を表している。例えば、８ｂｉｔで表現される画像であればq=２５５となる。また、軸上の光電変換部に入射する光量を１としたときの、軸外の光電変換部に入射する光量を表す補正係数S1(x,y)、S2(x,y)とする。補正係数については撮像装置内の不図示の記憶手段（メモリ）に記憶しておけばよい。
【００４３】
また、一般に、前記補正係数はズーミングやフォーカシングによっても変化するため、これらの情報を記憶しておきズームやフォーカス位置に応じて適切な補正係数を用いることがより望ましい。数式（３）、（４）による補正を行った後、Highdata2、Lowdata2について数式（１）を適用することでダイナミックレンジが広い画像を生成している。
【００４４】
また、実施例１と同様に、切替手段４０により透過率分布の異なる別のＮＤフィルタと切り替えることで所望のダイナミックレンジの拡大率を得ることができる。
【実施例４】
【００４５】
実施例４では、図１、３、４に示すように光電変換部、ＮＤフィルタについては実施例１と同様の構成である。本実施例では、黒つぶれ・白飛びの少ない適切な画像を取得するための露出制御方法の一例について説明する。
【００４６】
図６は、露出決定のフローチャートであり、「Ｓ」はステップを表す。図６に示すフローチャートは制御手段３２（マイクロコンピュータ）に各ステップの機能を実行させるためのプログラムとして具現化が可能である。
【００４７】
まず、制御手段３２はＮＤフィルタ１２の透過率分布情報を取得し（Ｓ１０２）、ＮＤフィルタ１２の透過率が最も高い第１の画像データをＨｉｇｈ画像、透過率が最も低い第２の画像データをＬｏｗ画像とする。ＮＤフィルタ１２の透過率分布の情報は、ユーザが不図示の入力手段を介して入力してもよいし、ＮＤフィルタの透過率分布の情報を記憶する不図示の記憶手段を設け、記憶手段から制御手段３２が取得してもよい。
【００４８】
次に、制御手段３２は、露出制御手段３３を介して、Ｈｉｇｈ画像について、予め設定した輝度値以下となる領域の画面全体に対する割合が第１の設定値となるように露出制御を行う（Ｓ１０４）。露出条件におけるＬｏｗ画像について、予め設定した輝度値以上となる領域の、画面全体に対する割合が第２の設定値以下であるか判定を行う（Ｓ１０６）。条件が満たされない場合（つまりＬｏｗ画像に閾値以上の白飛びが生じている場合）には、ユーザに対して領域Ｔ１とＴ２のＮＤフィルタ１２の透過率の差が大きいＮＤフィルタへの切り替えを促す（Ｓ１０８）。あるいは、制御手段３２は切替手段４０を制御して切り替えを自動的に行ってもよい。この場合、ユーザに許可を求める表示を不図示の表示部に表示してもよい。
【００４９】
また、Ｌｏｗ画像について、予め設定した輝度値以上となる領域の画面全体に対する割合が予め設定した割合以上であるか判定を行う（Ｓ１０６）。条件が満たされない場合（つまりＬｏｗ画像において高輝度領域の階調が使われていない場合）には、ユーザに対して領域Ｔ１とＴ２のＮＤフィルタ１２の透過率の差が小さいＮＤフィルタへの切り替えを促す（Ｓ１０８）。あるいは、制御手段３２は切替手段４０を制御して切り替えを自動的に行ってもよい。この場合、ユーザに許可を求める表示を不図示の表示部に表示してもよい。このように、制御手段３２は、Ｓ１０４の露出制御後に、瞳の透過率が最も低い領域を通過した光束による第２の画像データの輝度が設定範囲でない場合に、切替手段４０によってＮＤフィルタ１２を切り替えさせる。
【００５０】
以上の手法により、適切なＮＤフィルタと露出を決定し、決定した条件において露光を行い（Ｓ１１０）、画像を取得する。そして、画像合成手段３０が、Ｌｏｗ画像をLowdata、High画像をHighdataとして数式（１）の処理を行うことによってダイナミックレンジが広い画像を生成する（Ｓ１１２）。ＮＤフィルタ・露出制御もしくは画像合成の段階で数式（３）、（４）の撮影光学系１０のケラレ補正を行ってもよい。
【００５１】
以上、本発明の好ましい実施形態について説明したが、本発明はこれらの実施形態に限定されず、その要旨の範囲内で種々の変形及び変更が可能である。
【産業上の利用可能性】
【００５２】
本発明の光学機器は、レンズ鏡筒や撮像装置の用途に適用することができる。
【符号の説明】
【００５３】
１０…撮影光学系、１２…ＮＤフィルタ、１６…射出瞳、２０…撮像素子、２１…画素、２２、２３…光電変換部、４０…切替手段
【図１】
2015087401.tif 000003
【図２】
2015087401.tif 000004
【図３】
2015087401.tif 000005
【図４】
2015087401.tif 000006
【図５】
2015087401.tif 000007
【図６】
2015087401.tif 000008